(57)【特許請求の範囲】
【請求項１】
複数のＩＰ（Information  Provider）と、広告データ格納サーバと、通信事業用コンテンツ格納サーバに接続された広告データ制御装置と、
前記広告データ制御装置と通信ネットワークを介して接続され、前記ネットワークから特定の種類のコンテンツデータを閲覧可能なコンテンツ閲覧ソフトを有する携帯端末とを備え、
前記広告データ制御装置は、前記携帯端末からアクセスされたコンテンツデータの量を監視し、前記携帯端末へ送信するコンテンツデータのデータ量に基いて、当該データの前記携帯端末へのダウンロードが終了するまでの間に送信できる広告データのデータ量を判断し、当該データ量の広告データを前記携帯端末へ送信し、
前記携帯端末が前記コンテンツデータを受信する際、前記コンテンツデータの受信中である旨を表示すると同時に、前記広告データ格納サーバからの広告データを表示することを特徴とする広告表示システム。
【請求項２】
前記広告データ格納サーバにはデータ量の異なる複数の広告データが格納されており、前記広告データ制御装置は、前記携帯端末からのアクセスされたコンテンツデータの量に対応したデータ量を有する広告データを選択して、携帯端末に送信することを特徴とする請求項１記載の広告表示システム。
【請求項３】
前記携帯端末は、受信した広告データを表示画面に表示を行うと共にデータ受信中である旨を表示し、前記コンテンツデータの受信が完了するまで、前記広告データの表示を続け、当該コンテンツデータの受信完了後に受信したコンテンツデータの表示を行うことを特徴とする請求項２記載の広告表示システム。
【請求項４】
前記広告データ制御装置には、あらかじめ前記携帯端末のユーザの趣味又は興味があるジャンルが登録され、前記広告データ制御装置から前記携帯端末へのコンテンツデータの受信が完了するまで、ユーザに関心のある当該広告データが前記携帯端末へ送信されることを特徴とする請求項３記載の広告表示システム。
【請求項５】
広告データ制御装置が、
携帯端末からインターネット又は通信事業者が提供するコンテンツへのアクセス要求を受信する第１のステップと、
前記アクセス要求されたデータがインターネット上のコンテンツか、通信事業者の提供するコンテンツかを判別し、該当データへアクセスを行う第２のステップと、
前記携帯端末からアクセスされたコンテンツデータの量を監視し、前記携帯端末へ送信するコンテンツデータのデータ量に基いて、当該データの前記携帯端末へのダウンロードが終了するまでの間に送信できる広告データのデータ量を判断し、当該データ量に応じた広告データを前記携帯端末へ送信する第３のステップと、を実行し、
前記携帯端末が、前記広告データの受信後、前記携帯端末の表示画面に前記広告データを表示する第４のステップを実行し、
前記広告データ制御装置が、前記広告データの送信後、前記携帯端末からアクセス要求されたコンテンツデータの送信を行う第５のステップを実行する
ことを特徴とする広告表示方法。
【請求項６】
前記第５のステップにおいて、前記携帯端末は、受信した広告データを表示画面に表示を行うと共にデータ受信中である旨を表示し、前記コンテンツデータの受信が完了するまで、前記広告データの表示を続け、当該コンテンツデータの受信完了後に受信したデータの表示を行うことを特徴とする請求項５記載の広告表示方法。
【請求項７】
前記広告データ制御装置が、あらかじめ前記携帯端末のユーザに、当該ユーザの趣味又は興味があるジャンルの登録を促すステップと、
前記携帯端末へのコンテンツデータの受信が完了するまで、当該ユーザの趣味又は興味があるジャンルに対応した広告データを前記携帯端末へ送信するステップをさらに実行することを特徴とする請求項５又は６記載の広告表示方法。
【発明の詳細な説明】
【０００１】
【発明の属する技術分野】
本発明は、通信ネットワークにおける情報提示システム、即ち通信ネットワークを介してインターネット等を利用する際に、その個々の情報（コンテンツ）の表示及び広告表示のための技術に関するものである。
【０００２】
【従来の技術】
従来、携帯電話を初めとする携帯端末装置において、インターネットや通信事業者の提供するコンテンツ等のデータを閲覧する際、閲覧を行う情報のデータ受信中は、携帯端末の表示画面上にはデータのダウンロード中である旨の『データ通信中です』等のメッセージや、通信中である旨のアイコンを画面上に表示している。携帯端末のユーザは前記データ通信中である旨の表示画面を見ながら、目的の情報が携帯端末の画面に表示されるのを待っている。
【０００３】
【発明が解決しようとする課題】
しかしながら、近年、携帯端末の性能の向上と、取り扱えるデータの種類の増加により、ユーザがインターネット経由でデータを受信するデータ量は増加する傾向にある。したがって、取り扱うデータ量の増加に伴い、データの受信に必要とする時間も増加している。
【０００４】
本発明の目的は、この増加傾向にある時間を有効的に利用し、効果的な広告を行うことのできる広告表示システム及び広告表示方法を提供することである。
【０００５】
【課題を解決するための手段】
本発明による広告表示システム及び広告表示方法は、携帯端末からインターネットおよび通信事業者が提供するコンテンツのデータ受信中に、携帯端末の表示画面にデータ受信中を示す表示と共に広告データを表示することを特徴とする。
【０００６】
具体的には、複数のＩＰ（Information  Provider）と、広告データ格納サーバと、通信事業用コンテンツ格納サーバに接続された広告データ制御装置と、前記広告データ制御装置と通信ネットワークを介して接続され、前記ネットワークから特定の種類のコンテンツデータを閲覧可能なコンテンツ閲覧ソフトを有する携帯端末とを備え、前記広告データ制御装置は、前記携帯端末からアクセスされたコンテンツデータの量を監視し、前記携帯端末へ送信するコンテンツデータのデータ量に基いて、当該データの前記携帯端末へのダウンロードが終了するまでの間に送信できる広告データのデータ量を判断し、当該データ量の広告データを前記携帯端末へ送信し、前記携帯端末が前記コンテンツデータを受信する際、前記コンテンツデータの受信中である旨を表示すると同時に、前記広告データ格納サーバからの広告データを表示することを特徴とする。
【０００８】
又、前記広告データ格納サーバにはデータ量の異なる複数の広告データが格納されており、前記広告データ制御装置は、前記携帯端末からのアクセスされたコンテンツデータの量に対応したデータ量を有する広告データを選択して、携帯端末に送信することを特徴とする。
【０００９】
【発明の実施の形態】
以下、本発明の一実施の形態について図１及び図２を参照して説明する。図１に示すように、広告データ送信システム１は、広告データ制御装置２と広告データ格納サーバ４で構成されている。広告データ送信システム１は複数のＩＰ６に接続されている。
【００１０】
携帯端末３は、通信事業者の運営する広告データ送信システム１と無線または有線により接続される。携帯端末３は、インターネットまたは、通信事業者の提供するコンテンツにアクセスを行う為の接続機能およびアクセスを行った際にデータを表示する為のＷｅｂ情報閲覧を行うためのコンテンツ閲覧ソフトウェアを有する。前記コンテンツ閲覧ソフトウェアは、インターネット、または通信事業者の提供するコンテンツデータを通信事業者用コンテンツ格納サーバ５から受信し、受信待ちの間、データ受信中である旨のアイコン等の表示機能と、データ受信中である旨のアイコン等の表示と同時に、前記広告データ送信システム１からの広告データの表示を行う機能を有する。
【００１１】
次に、本実施の形態に係る広告表示システムの動作について説明する。図１において、携帯端末３は、無線または有線により通信事業者の運営する広告データ制御システム１に接続を行う。携帯端末３は、コンテンツ閲覧ソフトからの操作により、インターネット上または、通信事業者が提供するコンテンツへのアクセスを行う（ステップＳ１０１）。携帯端末３からのアクセスは広告データ制御システム１の広告データ制御装置２で携帯端末３の要求するデータがインターネット上のコンテンツか、通信事業者の提供するコンテンツかを判別し、該当のデータへアクセスを行う（ステップＳ１０２，Ｓ１０３，Ｓ１０４，Ｓ１０５）。
【００１２】
次に、広告データ制御装置２は、アクセスしたデータのデータ量を判断し（ステップＳ１０６）、データ量に応じた広告データを広告データ格納サーバ４から受信し、携帯端末３に送信を行う（ステップＳ１０７）。携帯端末３のコンテンツ閲覧ソフトは画面に広告データ制御装置２から受信した広告を画面に表示する（ステップＳ１０８）。
【００１３】
広告データ制御装置２は、広告データの送信後、携帯端末３からの要求データの送信を行う（ステップＳ１０９）。携帯端末３のコンテンツ閲覧ソフトは広告データ制御装置２からのデータ受信が完了するまで、前記広告の表示し続ける。
【００１４】
広告データ格納サーバ４には、データ量の異なる複数の広告データが格納されており、広告データ制御装置２により、携帯端末３からのアクセスデータの容量により、ある割合のデータ量をもつ広告データを選択されて、携帯端末３に出力される。広告データ格納サーバ４に格納されているデータは、例えば、データの転送量が少ない場合は、ある企業のロゴマークのみ等の簡単なデータであり、データ転送量が多い場合は、企業のロゴマークのほかにもキャンペーン内容を含むデータである。
【００１５】
以下、本発明の他の実施の形態について説明する。広告データ制御装置２にあらかじめ、携帯端末３ユーザの趣味または興味があるジャンルを広告データ制御装置２に登録しておくことにより、広告データ制御装置２は、広告データ格納サーバユーザ４からユーザに関心のある広告を携帯端末３に送信することを可能にし、より効果的に広告配信を可能にする。
【００１６】
【発明の効果】
本発明によれば、広告データ制御装置２により予め携帯端末３に広告データを送信し、携帯端末３は前記広告データを表示する為のコンテンツ閲覧ソフトウェアを有するため、データの受信中である待ち時間を利用し、携帯端末３を利用しているユーザがかなりの確立で画面を注力して見ている期間に広告の表示を行える。
【００１７】
又、本発明によれば、広告データ制御装置２により予め携帯端末３に送信する広告のコンテンツのデータ転送量が予め解っているため、適切な内容の広告をユーザの待ち時間に流す事が可能になるため、表示する広告の量を制限することにより、データ転送量に対する広告データの割合をほぼ一定にし、ユーザに対し、データ受信の大幅な増大を少なくすることができる。
【図面の簡単な説明】
【図１】本発明の広告表示システムの構成を示した図である。
【図２】本発明の広告表示システムの動作を説明するためのフローチャートである。
【符号の説明】
１    広告データ送信システム
２    広告データ制御装置
３    携帯端末
４    広告データ格納サーバ
５    通信事業者用コンテンツ格納サーバ
６    ＩＰ（Information  Provider）
【図１】
0004466808.tif 000002
【図２】
0004466808.tif 000003